【手続補正書】
【提出日】平成25年7月3日(2013.7.3)
【手続補正１】
【補正対象書類名】特許請求の範囲
【補正対象項目名】全文
【補正方法】変更
【補正の内容】
【特許請求の範囲】
【請求項１】
密閉された環境の空気を循環させ、処理するためのシステムであって、
前記密閉された環境の外から空気を受容するように構成される入口と、
少なくとも前記密閉された環境から空気を受容し、前記密閉された環境へと空気を供給するように構成される空気処理ユニットと、
前記密閉された環境の前記空気に含まれる少なくとも１つのガス汚染物質のレベルを決定する信号を制御システムに提供するように構成される少なくとも１つのセンサと、
前記空気処理ユニットとガス連通する洗浄システムであって、少なくとも１つの吸着剤を含む洗浄システムと
を含み、
前記洗浄システムは、前記吸着剤による吸着により前記密閉された環境の前記空気内の少なくとも１つのガス汚染物質の濃度を低減させるように構成される、システム。
【請求項２】
前記洗浄システムは、前記密閉された環境からの前記空気が前記空気処理ユニットに到達するのに先立って、および／または前記密閉された環境からの前記空気が前記空気処理ユニットによって処理された後、前記密閉された環境からの前記空気の少なくとも一部を遮断するように構成される、請求項１に記載のシステム。
【請求項３】
前記システムにより前記密閉された環境から受容された前記空気の約１％から約５０％を含む空気の第１の体積が前記洗浄システムに送達され、前記空気の第１の体積の残りは、前記洗浄システムを迂回するように構成され、前記密閉された環境に供給される空気は、前記残りの少なくとも一部と、洗浄された空気の少なくとも一部とを含む、請求項１に記載のシステム。
【請求項４】
制御システムをさらに含み、
前記制御システムは、前記密閉された環境の前記空気の前記少なくとも１つのガス汚染物質のレベルを決定する信号を前記制御システムに提供するように構成される少なくとも１つのセンサと通信し、前記決定に基づいて、前記制御システムは、前記洗浄システムおよび前記空気の入口のうちの少なくとも１つを制御するように構成される、請求項１に記載のシステム。
【請求項５】
前記制御システムは、前記密閉された環境の前記空気について前記汚染物質の所望のレベルを維持するようにさらに構成される、請求項４に記載のシステム。
【請求項６】
前記洗浄システムは、複数の化学層を含み、各化学層は、洗浄するための空気の流動の一部を遮断するように構成される、請求項１に記載のシステム。
【請求項７】
前記洗浄システムは、二酸化炭素の捕捉および放出のプロセスを制御するためのシステムを含み、
前記プロセスは、（ｉ）アルカリ塩と二酸化炭素との間の反応、および（ｉｉ）アミン分子と二酸化炭素との間の反応のうちの少なくとも１つを含む、請求項１に記載のシステム。
【請求項８】
前記洗浄システムは、１つ以上のアルカリ塩を利用する、請求項１に記載のシステム。
【請求項９】
前記洗浄システムは、温度差吸着サイクル、濃度差吸着サイクル、圧力差吸着サイクルまたはそれらの組み合わせを介して繰り返し用いられる、請求項１に記載のシステム。
【請求項１０】
前記洗浄システムは、前記密閉された環境からの前記空気の体積の少なくとも第１の部分を受容するように構成され、前記密閉された環境からの前記空気の体積の少なくとも第２の部分が、前記洗浄システムを迂回するように構成される、請求項１に記載のシステム。
【請求項１１】
前記洗浄の後、前記空気の体積の第１の部分は、前記洗浄システムを迂回した前記空気の体積の第２の部分の少なくとも一部と結合して、共に前記密閉された環境に供給される、請求項１０に記載のシステム。
【請求項１２】
前記密閉された環境の前記空気内の前記少なくとも１つのガス汚染物質のレベルを決定するセンサと、
前記密閉された環境の前記空気内の前記少なくとも１つのガス汚染物質のレベルに従って、洗浄器内への前記密閉された環境からの空気の吸気または外気の吸気の率を修正するように構成されるコントローラと
をさらに含む、請求項１に記載のシステム。
【請求項１３】
排気ダクトをさらに含み、
前記密閉された環境からの前記空気の少なくとも一部は、外に排気される、請求項１に記載のシステム。
【請求項１４】
前記システムは、前記洗浄システムが前記密閉された環境のみからの空気を洗浄し得るように構成される、請求項１に記載のシステム。
【請求項１５】
前記洗浄システムは、パージサイクルを含み、前記パージサイクルの間、パージ物質が前記吸着剤に印加されて、前記吸着剤により以前に吸着された前記ガス汚染物質の少なくとも一部が放出され、
前記パージ物質は、ガスを含む、請求項１に記載のシステム。
【請求項１６】
前記パージ物質は、
暖房、換気、および空調システムの構成要素によって生成される熱の印加と、
前記パージ物質または吸収剤自体を加熱するように構成される加熱システムと
のうちの少なくとも１つによって加熱される、請求項１５に記載のシステム。
【請求項１７】
前記システムは、洗浄された前記密閉された環境から受容された空気の体積、前記密閉された環境から受容された洗浄されていない空気の体積、および前記入口からの空気の体積のうちの少なくとも２つの混合物を供給するように構成される、請求項１に記載のシステム。
【請求項１８】
密閉された環境の空気を循環させ、処理するためのシステムであって、
前記密閉された環境の外から空気を受容するように構成される入口と、
前記密閉された環境から空気を受容し、前記密閉された環境へと空気を供給するように構成される空気処理ユニットと、
前記空気処理ユニットとガス連通する洗浄システムであって、少なくとも１つの吸着剤を含む洗浄システムと、
少なくとも１つのセンサと通信する制御システムであって、前記センサは、前記密閉された環境の前記空気に含まれる少なくとも１つのガス汚染物質のレベルを決定する信号を前記制御システムに提供するように構成される、制御システムと
を含み、
前記ガス汚染物質のレベルに基づいて、前記制御システムは、前記洗浄システム、前記空気処理ユニットおよび前記空気の入口のうちの少なくとも１つを制御するように構成され、
前記洗浄システムは、前記吸着剤による吸着により前記密閉された環境の前記空気内の少なくとも１つのガス汚染物質の濃度を低減させるように構成される、システム。
【請求項１９】
密閉された環境の空気を循環させ、処理するためのシステムであって、
前記密閉された環境の外から空気を受容するように構成される入口と、
少なくとも前記密閉された環境からの空気を受容し、前記密閉された環境へと空気を供給するように構成される空気処理ユニットと、
前記空気処理ユニットとガス連通する洗浄システムであって、前記洗浄システムは、少なくとも１つの吸着剤を含む、洗浄システムと
を含み、
前記洗浄システムは、前記密閉された環境からの前記空気の体積の少なくとも第１の部分を受容および洗浄するように構成され、前記密閉された環境からの前記空気の体積の少なくとも第２の部分が、前記洗浄システムを迂回するように構成され、
前記洗浄システムは、前記吸着剤による吸着により前記密閉された環境の前記空気内の少なくとも１つのガス汚染物質の濃度を低減させるように構成される、システム。
【手続補正２】
【補正対象書類名】明細書
【補正対象項目名】００１６
【補正方法】変更
【補正の内容】
【００１６】
本明細書は、例えば、以下の項目も提供する。
（項目１）
密閉された環境内で空気を循環させるためのシステムであって、
前記密閉された環境外から、空気を受容するように構成される、入口と、
前記入口を通して、外気を受容するように前記入口に連結され、前記密閉された環境から、循環空気を受容するように構成される、空気処理ユニットであって、
前記空気処理ユニットは、前記受容された外気および前記受容された循環空気のうちの少なくとも１つの温度に影響を及ぼすように構成され、
前記受容された外気および前記受容された循環空気に基づいて、前記空気処理ユニットは、前記密閉された環境に供給するための空気を生成するようにさらに構成される、
空気処理ユニットと、
前記空気処理ユニットから生成された空気を前記密閉された環境へ、かつ前記空気処理ユニットに戻るように、循環させるように構成される、空気循環システムと、
前記空気処理ユニットおよび前記空気循環システムのうちの少なくとも１つに連結された洗浄システムであって、前記密閉された環境に供給される空気内の少なくとも１つの物質の存在を低減させるように構成される、洗浄システムと
を含む、システム。
（項目２）
前記洗浄システムは、前記循環空気が、前記空気処理ユニットに到達するのに先立って、および／または前記循環空気が、前記空気処理ユニットによって処理された後、前記受容された循環空気の少なくとも一部を遮断するように構成される、項目１に記載のシステム。
（項目３）
前記循環空気の約１％から約５０％が、前記洗浄システムに送達され、前記循環空気の残りは、前記洗浄システムを迂回するように構成される、項目１に記載のシステム。
（項目４）
前記少なくとも１つの物質は、二酸化炭素である、項目１に記載のシステム。
（項目５）
前記少なくとも１つの物質は、揮発性有機化合物、一酸化炭素、亜酸化窒素、および硫黄酸化物のうちの少なくとも１つを含む、項目１に記載のシステム。
（項目６）
少なくとも１つのセンサに連結された制御システムをさらに含み、前記少なくとも１つのセンサは、前記密閉された環境および前記空気循環システムのうちの少なくとも１つ内に配置され、
前記少なくとも１つのセンサは、前記循環空気の組成を判定し、前記循環空気の組成の判定を前記制御システムに提供するように構成され、
前記循環空気の組成の判定に基づいて、前記制御システムは、前記洗浄システムおよび前記空気入口システムのうちの少なくとも１つを制御するように構成され、前記循環空気の所望の組成を維持するようにさらに構成される、項目１に記載のシステム。
（項目７）
前記洗浄システムは、少なくとも１つの吸着材を含み、前記少なくとも１つの物質の濃度は、前記吸着材上への前記少なくとも１つの物質の吸着によって低減される、項目１に記載のシステム。
（項目８）
前記少なくとも１つの吸着材は、分子篩、合成ゼオライト、活性炭、多孔性アルミナ、シリカゲル、粘土系材料、および金属有機骨格のうちの少なくとも１つを含む、項目７に記載のシステム。
（項目９）
前記洗浄システムは、複数の化学層を含み、前記複数の化学層内の各化学層は、循環空気の流動を遮断するように構成され、前記複数の化学層内の化学層のうちの少なくとも２つは、異なる吸着材を有する、項目８に記載のシステム。
（項目１０）
前記洗浄システムは、二酸化炭素を含む、可逆的化学反応を制御するためのシステムを含み、
前記可逆的化学反応は、炭酸ナトリウムおよび重炭酸ナトリウムサイクル、およびアミン化合物と二酸化炭素との間の反応のうちの少なくとも１つを含む、
項目１に記載のシステム。
（項目１１）
前記洗浄システムは、１つ以上の塩基を利用し、前記１つ以上の塩基は、アルカリ性水酸化物を含む、項目１に記載のシステム。
（項目１２）
前記洗浄システムは、温度差吸着システムである、項目１に記載のシステム。
（項目１３）
前記洗浄システムは、パージサイクルを含み、その間、パージ物質が、前記洗浄システムに印加され、前記洗浄システムから、前記少なくとも１つの物質を放出し、
前記パージ物質は、ガスを含む、項目１に記載のシステム。
（項目１４）
前記パージ物質は、
前記空気循環システムを組み込む、暖房、換気、および空調システムの構成要素によって生成される熱の印加と、
前記パージ物質を加熱するように構成される、加熱システムと
のうちの少なくとも１つによって加熱される、項目１３に記載のシステム。
（項目１５）
前記洗浄システムは、前記循環空気の体積の少なくとも一部が、前記洗浄システムを通って流動するように構成され、前記循環空気の体積の少なくとも別の一部が、前記洗浄システムを迂回するように構成されるように、前記空気循環システムに連結される、項目１に記載のシステム。
（項目１６）
酸素または酸素濃縮空気を前記循環空気内に注入する、酸素注入システムと、
前記密閉された環境内に配置される、少なくとも１つのセンサに連結された制御システムと、
をさらに含み、
前記少なくとも１つのセンサは、前記循環空気内の酸素レベルを判定し、および前記循環空気内の酸素レベルの判定を前記制御システムに提供するように構成され、
前記循環空気内の酸素レベルの判定に基づいて、前記制御システムは、前記循環空気内の酸素の所望のレベルを維持するように、前記酸素注入システムを制御するように構成され、
前記酸素注入システムは、圧力差吸着および真空差吸着システムのうちの少なくとも１つを含む、項目１に記載のシステム。
（項目１７）
密閉された環境内で空気を循環させるためのプロセスであって、
前記密閉された環境外からの外気および前記密閉された環境からの循環空気を受容することと、
所望の温度において、前記受容された外気および前記受容された循環空気のうちの少なくとも１つを前記密閉された環境に供給するように、前記受容された外気および前記受容された循環空気のうちの少なくとも１つを調整することと、
前記調整された空気を前記密閉された環境内外に循環させることと、
前記密閉された環境からの前記受容された循環空気の少なくとも一部を洗浄し、前記循環空気内の少なくとも１つの物質の存在を低減させることと、
前記洗浄された空気を再循環させることと、
前記密閉された環境からの前記循環空気の少なくとも一部を排気することと
を含む、プロセス。
（項目１８）
前記循環空気の約１％から約５０％は、洗浄のために遮断され、前記循環空気の残りは、洗浄を回避するように構成される、項目１７に記載のプロセス。
（項目１９）
前記洗浄は、二酸化炭素の濃度を低減させる、項目１７に記載のプロセス。
（項目２０）
循環空気からの望ましくないガスの除去のためのガス洗浄システムを有する、ＨＶＡＣシステムと併用するための制御システムであって、
前記制御システムは、
前記循環空気内の望ましくないガスの量を判定するためのセンサと、
前記循環空気内の測定された望ましくないガスの量に従って、全体的空気の入れ換えを調節するように、循環空気の排気または外気の吸気の率を修正するように構成される、コントローラと
を含む、制御システム。
本明細書に説明される主題の１つ以上の変形例の詳細は、付随の図面および以下の説明に記載される。本明細書に説明される主題の他の特徴および利点は、説明および図面ならびに請求項から明白となるであろう。